【手続補正書】
【提出日】平成16年8月6日(2004.8.6)
【手続補正１】
【補正対象書類名】明細書
【補正対象項目名】特許請求の範囲
【補正方法】変更
【補正の内容】
【特許請求の範囲】
【請求項１】
地表上の所定の一定範囲を所定の一定間隔の緯度毎の緯線及び所定の一定間隔の経度毎の経線によりメッシュ状に分割して多数のセルを形成し、それら形成された多数のセルに所定のコードをそれぞれ割当てて生成されたセルデータを記憶しているセルデータ記憶手段と、
所定の施設を利用する施設利用者の現在位置を検出するＧＰＳ受信手段と、
前記施設利用者が前記所定の施設の進入地点に達したときに、記憶されているセルデータの中から検出された現在位置に対応するセルデータを抽出する進入地点セルデータ抽出手段と、
抽出された進入地点のセルデータに前記施設利用者の識別情報を付して所定の課金センターに送信する進入セルデータ送信手段と、
前記施設利用者が前記所定の施設の進出地点に達したときに、記憶されているセルデータ中から検出された現在位置に対応するセルデータを抽出する進出地点セルデータ抽出手段と、
抽出された進出地点のセルデータに前記施設利用者の識別情報を付して前記所定の課金センターに送信する進出セルデータ送信手段と、
送信されてきた進入地点のセルデータに係る施設利用者の識別情報及び進出地点のセルデータに係る施設利用者の識別情報を照合する照合手段と、
照合一致が得られたときに、進入地点のセルデータ及び進出地点のセルデータに基づいて前記施設の利用料金を算出して課金する課金手段と、
からなることを特徴とする施設利用者に対する課金装置。
【請求項２】
請求項１に記載の施設利用者に対する課金装置において、施設利用者毎の送信されたきた進入地点及び進出地点のセルデータは、所定の暫定ファイルに記録し、その暫定ファイルに記録されている施設利用者毎のデータを所定の確定ファイルに転送するときに、料金データを付加してその確定ファイルに記録するものであることを特徴とする施設利用者に対する課金装置。
【手続補正２】
【補正対象書類名】明細書
【補正対象項目名】０００６
【補正方法】変更
【補正の内容】
【０００６】
【課題を解決するための手段】
上記課題を解決するため、本発明の請求項１に係る施設利用者に対する課金装置は、地表上の所定の一定範囲を所定の一定間隔の緯度毎の緯線及び所定の一定間隔の経度毎の経線によりメッシュ状に分割して多数のセルを形成し、それら形成された多数のセルに所定のコードをそれぞれ割当てて生成されたセルデータを記憶しているセルデータ記憶手段と、所定の施設を利用する施設利用者の現在位置を検出するＧＰＳ受信手段と、前記施設利用者が前記所定の施設の進入地点に達したときに、記憶されているセルデータの中から検出された現在位置に対応するセルデータを抽出する進入地点セルデータ抽出手段と、抽出された進入地点のセルデータに前記施設利用者の識別情報を付して所定の課金センターに送信する進入セルデータ送信手段と、前記施設利用者が前記所定の施設の進出地点に達したときに、記憶されているセルデータ中から検出された現在位置に対応するセルデータを抽出する進出地点セルデータ抽出手段と、抽出された進出地点のセルデータに前記施設利用者の識別情報を付して前記所定の課金センターに送信する進出セルデータ送信手段と、送信されてきた進入地点のセルデータに係る施設利用者の識別情報及び進出地点のセルデータに係る施設利用者の識別情報を照合する照合手段と、照合一致が得られたときに、進入地点のセルデータ及び進出地点のセルデータに基づいて前記施設の利用料金を算出して課金する課金手段と、からなることを特徴としている。
【手続補正３】
【補正対象書類名】明細書
【補正対象項目名】０００７
【補正方法】変更
【補正の内容】
【０００７】
本発明の請求項２に係る施設利用者に対する課金装置は、施設利用者毎の送信されたきた進入地点及び進出地点のセルデータは、所定の暫定ファイルに記録し、その暫定ファイルに記録されている施設利用者毎のデータを所定の確定ファイルに転送するときに、料金データを付加してその確定ファイルに記録するものであることを特徴としている。
【手続補正４】
【補正対象書類名】明細書
【補正対象項目名】００１２
【補正方法】変更
【補正の内容】
【００１２】
測位データ出力機２は、基本的には、図３に示すように、制御部であるＣＰＵ２１と、システムプログラム及び固定情報を記憶するＲＯＭ２２と、ワーキングデータを一時的に記憶するＲＡＭ２３と、入力部２４と、表示器２５と、通信機２６とを有している。
ＲＯＭ２２には、固定情報として、後述されるセルデータが記憶されている。ＲＯＭの代わりに、外部記憶装置を用いてもよい。ここでは、セルデータを記憶する部分を、図４に示すように、セルデータ記憶手段２２Ａという。
【手続補正５】
【補正対象書類名】明細書
【補正対象項目名】００３８
【補正方法】変更
【補正の内容】
【００３８】
次に、図１３に基づいて、本発明の課金装置を高速有料道路の通行料金の課金に適用した場合の動作を説明する。図１３において、ＢｂはＰＨＳ無線既知局、ＢａはＰＨＳサービスエリア、ＦＷは一般道路又は他の有料道路である。
高速有料道路ＨＷを利用しようとする者は、インターチェンジＩＣｘに入る前に、車両に搭載されている位置通報装置Ａの自動発呼指令スイッチ４５をＯＮしておく。その車両がインターチェンジ入口Ｇｘに接近すると、位置通報装置ＡのＧＰＳ測位装置Ａ１が、そのインターチェンジが含まれるセルＣｘのセルコードを出力するので、これを受けたデータ処理装置Ａ２は、そのインターチェンジについて予め登録してあるセルコードと一致するため、そのセルコードとリンクして登録してある、当該有料道路を管轄している課金センターＣの端末番号と、そのセルコードが通信装置Ａ３に与えられ、通信装置は課金センターの端末番号を自動ダイヤルし、その位置通報装置との間に通信回線が接続されると、位置通報装置Ａの端末番号及び現在位置を表すセルコードが課金センター装置Ｃに送出される。
この場合、位置通報装置が発呼する時は、通信網では、従来技術により、認証機能により、その位置通報装置の端末番号が通信加入契約者であるか否かが確認され、通信加入契約者である場合は、課金センター装置に着呼される。
【手続補正６】
【補正対象書類名】明細書
【補正対象項目名】００４０
【補正方法】変更
【補正の内容】
【００４０】
そして、その車両が任意のインターチェンジＩＣｙから進出しようとして出口Ｇｙに接近すると、位置通報装置のＧＰＳ測位装置Ａ１が、そのインターチェンジが含まれるセルＣｙのセルコードを出力するので、これを受けたデータ処理装置Ａ２は、そのインターチェンジについて予め登録してあるセルコードと一致するため、そのセルコードとリンクして登録してある、当該有料道路を管轄している課金センター装置Ｃの端末番号と、そのセルコードが通信装置Ａ３に与えられ、通信装置は課金センター装置の端末番号を自動ダイヤルし、その位置通報装置との間に通信回線が接続されると、位置通報装置の端末番号及び現在位置を表すセルコードが課金センター装置Ｃに送出される。
【手続補正７】
【補正対象書類名】明細書
【補正対象項目名】００４１
【補正方法】変更
【補正の内容】
【００４１】
課金センター装置Ｃでは、位置通報装置ＡよりインターチェンジＩＣｙの出口Ｇｙ接近時に受信した時は、判定装置５３がそのセルコードが同一端末番号に就いて２度目の受信であると判定することにより、インターチェンジＩＣｘからＩＣｙまでの距離に就いて料金計算装置５４が登録してある料金を読出して、又は算出して、その両金額データを顧客ファイルに登録する。顧客ファイルには、端末番号、入口セルコード、出口セルコード、進入時刻及び進出時刻、並びに料金額の各データが登録保存されるので、これが施設利用の確実な証拠を含む課金情報として用いられ、別の請求書発行装置又は自動引落装置に送信される。
【手続補正８】
【補正対象書類名】明細書
【補正対象項目名】００４２
【補正方法】変更
【補正の内容】
【００４２】
【発明の効果】
本発明の請求項１に記載の施設利用者に対する課金装置は、地表上の所定の一定範囲を所定の一定間隔の緯度毎の緯線及び所定の一定間隔の経度毎の経線によりメッシュ状に分割して多数のセルを形成し、それら形成された多数のセルに所定のコードをそれぞれ割当てて生成されたセルデータを記憶しているセルデータ記憶手段と、所定の施設を利用する施設利用者の現在位置を検出するＧＰＳ受信手段と、前記施設利用者が前記所定の施設の進入地点に達したときに、記憶されているセルデータの中から検出された現在位置に対応するセルデータを抽出する進入地点セルデータ抽出手段と、抽出された進入地点のセルデータに前記施設利用者の識別情報を付して所定の課金センターに送信する進入セルデータ送信手段と、前記施設利用者が前記所定の施設の進出地点に達したときに、記憶されているセルデータ中から検出された現在位置に対応するセルデータを抽出する進出地点セルデータ抽出手段と、抽出された進出地点のセルデータに前記施設利用者の識別情報を付して前記所定の課金センターに送信する進出セルデータ送信手段と、送信されてきた進入地点のセルデータに係る施設利用者の識別情報及び進出地点のセルデータに係る施設利用者の識別情報を照合する照合手段と、照合一致が得られたときに、進入地点のセルデータ及び進出地点のセルデータに基づいて前記施設の利用料金を算出して課金する課金手段とからなるので、施設利用者は施設の入口及び出口をノンストップで通過することができ、しかも、キャッシュレスで施設の利用が可能であり、また、施設側は、確実な課金処理を行うことができる。
本発明の請求項２に係る施設利用者に対する課金装置は、施設利用者毎の送信されたきた進入地点及び進出地点のセルデータは、所定の暫定ファイルに記録し、その暫定ファイルに記録されている施設利用者毎のデータを所定の確定ファイルに転送するときに、料金データを付加してその確定ファイルに記録するので、効率よく課金処理を行うことができる。